(57)【要約】【課題】手摺の設置を容易に行い得る手摺の支持構造を提供する。【解決手段】壁面又は床面に支持される支持部材と、前記支持部材に対して手摺棒を接続する接続部材と、を備え、前記支持部材の面と、前記接続部材の面とを当接した状態で、前記支持部材と前記接続部材とを取付部材により接続する手摺の支持構造において、前記接続部材は、前記取付部材を軸として、前記支持部材と前記接続部材との当接面上で回動自在に取り付けられている。【選択図】図３
2020148058.tif 000002
【特許請求の範囲】
【請求項１】
壁面又は床面に支持される支持部材と、
前記支持部材に対して手摺を接続する接続部材と、を備え、
前記支持部材の面と、前記接続部材の面とを当接した状態で、前記支持部材と前記接続部材とを取付部材により接続する手摺の支持構造において、
前記接続部材は、前記取付部材を軸として、前記支持部材と前記接続部材との当接面上で回動自在に取り付けられている
ことを特徴とする手摺の支持構造。
【請求項２】
前記取付部材は、前記接続部材に螺着可能な螺着手段によって、覆われるように取り付けられている
ことを特徴とする請求項１に記載の手摺の支持構造。
【請求項３】
前記取付部材も螺着可能に、前記支持部材に螺着されている一方、前記螺着手段の螺着方向と、前記取付部材の螺着方向とは逆方向である
ことを特徴とする請求項２に記載の手摺の支持構造。
【請求項４】
前記支持部材の当接面および前記接続部材の当接面には、互いに係合する係合部が設けられている
ことを特徴とする請求項１乃至請求項３のいずれかに記載の手摺の支持構造。
【請求項５】
前記係合部は、前記支持部材に対して、前記接続部材が所定角度だけ回動自在に係合する
ことを特徴とする請求項４に記載の手摺の支持構造。
【発明の詳細な説明】
【技術分野】
【０００１】
本発明は、壁面等に支持部材を介して手摺を固定するための手摺の支持構造に関する。
【背景技術】
【０００２】
従来、階段や廊下等の通路に沿って設置される手摺がある。この種の手摺として、通路に沿って壁面又は床面から起立した支柱に手摺棒を固定する構成となっているものがある。壁面又は床面から起立した支柱によって支えられる手摺棒は、通路に沿って複数連接して設置することで、通路の長さに応じた設置が可能となっている。
【０００３】
ところで、通路には、階段や曲がり角といった様々な形態があり、これらに沿って設けられる手摺にあっては、通路の形態に合わせ上下左右に曲折するように設置することが望まれている。
【０００４】
かかる通路の形態に合わせて複数の手摺棒を曲折して接続する構成の手摺が提案されている（特許文献１参照）。
【先行技術文献】
【特許文献】
【０００５】
【特許文献１】特開２００９−１２７１９８号公報
【発明の概要】
【発明が解決しようとする課題】
【０００６】
ところで、複数の手摺棒を接続するいわゆる連続手摺においては、手摺棒の接続部分を、通路の曲がり角や階段の勾配が変化する箇所等に配置させることにより、手摺棒の途中に曲折部を形成する必要がなくなり、直線状の手摺棒を複数連接させて、曲がり角や階段部に対応した手摺の設置を実現することができる。
【０００７】
しかしながら、壁面の形状に正確に沿うように手摺棒を設置することは難しく、設置された手摺にがたつきや緩みが生じる問題があった。
【０００８】
本発明は、上述の問題点に鑑みてなされたものであり、手摺の設置を容易に行い得る手摺の支持構造を提供しようとするものである。
【課題を解決するための手段】
【０００９】
本発明に係る手摺の支持構造の一形態は、壁面又は床面に支持される支持部材と、前記支持部材に対して手摺を接続する接続部材と、を備え、前記支持部材の面と、前記接続部材の面とを当接した状態で、前記支持部材と前記接続部材とを取付部材により接続する手摺の支持構造において、前記接続部材は、前記取付部材を軸として、前記支持部材と前記接続部材との当接面上で回動自在に取り付けられていることを特徴とする。
【００１０】
この構造によれば、支持部材が当該支持部材と接続部材との当接面上で回動自在に取り付けられることにより、支持部材に対して取付けられる手摺の方向を容易に調整することができる。これにより手摺の取付作業を一段と容易に行うことができる。
【００１１】
また、上記手摺の支持構造において、前記取付部材は、前記接続部材に螺着可能な螺着手段によって、覆われるように取り付けられているようにしてもよい。
【００１２】
この構造によれば、取付け部材が螺着手段により覆われることにより、取付部材の緩みを螺着手段によって抑制することが可能となる。
【００１３】
また、上記手摺の支持構造において、前記取付部材も螺着可能に、前記支持部材に螺着されている一方、前記螺着手段の螺着方向と、前記取付部材の螺着方向とは逆方向であるようにしてもよい。
【００１４】
この構造によれば、取付部材が緩む方向は、螺着手段が締まる方向となっていることにより、取付部材が緩む動きは、螺着手段が締まる方向に作用することとなり、取付部材の緩みを一段と効果的に抑制することができる。
【００１５】
また、上記手摺の支持構造において、前記支持部材の当接面および前記接続部材の当接面には、互いに係合する係合部が設けられているようにしてもよい。
【００１６】
この構造によれば、支持部材と接続部材との当接面上での回動をガイドすることができる。
【００１７】
また、上記手摺の支持構造において、前記係合部は、前記支持部材に対して、前記接続部材が所定角度だけ回動自在に係合するようにしてもよい。
【００１８】
この構造によれば、支持部材に対する接続部材の回動角度を所定範囲内に制限することにより、接続部材を回動調整する場合において必要以上に動くことを防止することができる。
【発明の効果】
【００１９】
本発明によれば、手摺の設置を容易に行い得る手摺の支持構造を提供することができる。
【図面の簡単な説明】
【００２０】
【図１】本発明の実施形態に係る手摺装置を示す斜視図である。
【図２】本発明の実施形態に係る手摺装置を示す斜視図である。
【図３】本発明の実施形態に係る手摺装置の支持部を示す斜視図である。
【図４】本発明の実施形態に係る手摺装置の支持部を示す斜視図である。
【図５】本発明の実施形態に係る手摺装置の支持部を示す正面図である。
【図６】本発明の実施形態に係る手摺装置の取付け方法の説明に供する斜視図である。
【図７】本発明の実施形態に係る手摺装置の取付け方法の説明に供する斜視図である。
【図８】本発明の実施形態に係る手摺装置の支持部を示す正面図である。
【図９】本発明の実施形態に係る手摺装置の支持部を示す平面図である。
【図１０】本発明の実施形態に係る手摺装置における螺着手段（ねじ式キャップ）の取付方法の説明に供する断面図である。
【図１１】本発明の実施形態に係る手摺装置の比較例を示す断面図である。
【図１２】本発明の実施形態に係る手摺装置における螺着手段（ねじ式キャップ）の他の実施形態を示す断面図である。
【図１３】他の実施形態を示す平面図である。
【図１４】他の実施形態を示す正面図である。
【図１５】他の実施形態を示す断面図、正面図及び側面図である。
【図１６】他の実施形態を示す正面図である。
【図１７】本発明の実施形態に係る入隅用の手摺装置を示す斜視図である。
【図１８】本発明の実施形態に係る入隅用の手摺装置を示す斜視図である。
【図１９】本発明の実施形態に係る入隅用の手摺装置を示す斜視図である。
【図２０】本発明の実施形態に係る入隅用の手摺装置を示す斜視図である。
【図２１】本発明の入隅用の手摺装置の他の実施形態を示す平面図である。
【図２２】本発明の入隅用の手摺装置の他の実施形態を示す断面図である。
【図２３】本発明の入隅用の手摺装置の他の実施形態に用いられる化粧部材を示す側面図及び正面図である。
【発明を実施するための形態】
【００２１】
以下、本発明の実施の形態について、添付図面に基づき詳細に説明する。
図１に示すように、本発明の手摺の支持構造の実施形態に係る手摺装置１０は、壁面から起立するように固定される支持部材２１、２２、２３、２４、２５、２６及び２７と、当該支持部材２１〜２７に支持される手摺棒１１、１２及び１３と、手摺棒１１の一方の端部に設けられ当該手摺棒１１の一方の端部を支持部材２４に固定する接続部材４１と、手摺棒１２の一方の端部に設けられ当該手摺棒１２の一方の端部を支持部材２４に固定する接続部材４２と、手摺棒１２の他方の端部に設けられ当該手摺棒１２の他方の端部を支持部材２５に固定する接続部材４３と、手摺棒１３の一方の端部に設けられ当該手摺棒１３の一方の端部を支持部材２５に固定する接続部材４４とを備えている。
【００２２】
手摺装置の壁面への固定手順としては、まず、手摺棒１１に支持部材２１、２２及び２３を固定しておくと共に、手摺棒１３に支持部材２６、２７を固定する。一方、壁面には予め支持部材２４、２５を固定しておく。そして、手摺棒１１の一方の端部を支持部材２４の先端に設けられた支持部５１に固定すると共に、各支持部材２１、２２及び２３を壁面に固定する。また、手摺棒１２においては、その一方の端部に設けられた接続部材４２を支持部材２４の先端部に設けられた支持部５１に固定し、また手摺棒１２の他方の端部に設けられた接続部材４３を支持部材２５の先端部に設けられた結合受け部５２に固定する。これにより、手摺棒１１及び１２が互いに支持部５１において連接された状態で壁面に設置される。また、手摺棒１３においては、その一方の端部に設けられた接続部材４４を支持部材２５の先端部に設けられた結合受け部５２に固定する共に、各支持部材２６及び２７を壁面に固定する。これにより、手摺棒１２及び１３が互いに結合受け部５２において連接された状態で壁面に設置される。
【００２３】
このように、手摺装置においては、予め壁面に固定された支持部材２４に対して手摺棒１１の一方の端部を固定すると共に当該手摺棒１１に予め固定されている支持部材２１〜２３を壁面に固定することにより、支持部材２４を基準として、手摺棒１１に余分なストレスをかけることなく、当該手摺棒１１を壁面に固定することができる。また、予め壁面に固定された支持部材２４に対して手摺棒１１の他方の端部を固定すると共に、予め壁面に固定された支持部材２５に対して手摺棒１１の他方の端部を固定することにより、比較的短い手摺棒１２においては、その一方及び他方の端部をそれぞれ支持部材２４及び２５に固定することにより、容易に壁面に固定することができる。また、予め壁面に固定された支持部材２５に対して手摺棒１３の一方の端部を固定すると共に当該手摺棒１３に予め固定されている支持部材２６、２７を壁面に固定することにより、支持部材２５を基準として、手摺棒１３に余分な負荷をかけることなく、当該手摺棒１３を壁面に固定することができる。
【００２４】
このような固定手順により、各手摺棒１１〜１３に対して余分なストレスをかけることなく、手摺棒１１〜１３を壁面に固定することができる。
【００２５】
ここで、このような構成の手摺装置においては、各支持部材２４、２５に対する手摺棒１１〜１３の固定構造として、取付け作業時には手摺棒１１〜１３を回動可能に支持し、その後、本固定を行うことによって手摺棒１１〜１３が回動しないように固定し得る支持部５１、５２を備えていることにより、手摺棒１１〜１３の取付け作業時には当該手摺棒１１〜１３を支持部材２４、２５を中心にして回動調整可能とすることにより、壁面への取付け位置の調整を容易になし得ると共に、手摺棒１１〜１３の本固定時には、当該手摺棒１１〜１３を確実に支持部材２４、２５に固定することにより、その後の使用状態において手摺棒１１〜１３がぐらつくといった不都合を回避することができる。これにより、手摺棒１１〜１３の支持部材２４、２５への固定を一段を容易かつ確実になし得るようになっている。
【００２６】
以下、支持部材２４、２５と手摺棒１１〜１３との間の支持部５１、５２について詳細に説明する。なお、ここでは、支持部材２４について説明するが、支持部材２５においても同様構成の締結部を備えるものである。
【００２７】
図３及び図４は、手摺装置１０の支持部材２４及びこれに支持固定される手摺棒１１、１２を示す斜視図であり、図５及び図８は、その正面図である。また、図６及び図７は、支持部材２４の支持部５１に手摺棒１１、１２の端部を固定する固定方法を説明する斜視図である。また、図９は、支持部材２４及び手摺棒１１、１２の固定状態を示す平面図である。さらに、図１０は、支持部５１と支持部材４１とが結合された状態を示す断面図である。この断面図は、図９においてＡ−Ａ線を断面にとって示す図である。
【００２８】
図３〜図５に示すように、支持部材２４の先端部には、支持部５１が設けられている。この支持部５１は、図６及び図７に示すように、手摺棒１１の端部に設けられた接続部材４１を受ける支持面１５３を有し、この支持面１５３に支持部材４１の当接面４１Ａを面接触により支持するようになっている。支持面１５３には、支持部材４１（手摺棒１１）を支持面１５３に固定するねじ１４３（取付部材）を螺合させるねじ孔１５１が形成されている。一方、接続部材４１には、その外装面から当接面４１Ａに貫通するねじ孔１４１が形成されている。このねじ孔１４１の孔径は、ねじ１４３を遊嵌する程度の大きさに形成されている。すなわち、ねじ１４３はねじ孔１４１には螺合されることなく、内部に挿入される。また、ねじ孔１４１の内底部には、ねじ孔１４１の孔径よりも小さな径で形成された小径ねじ孔部１４１Ｂ（図１０）が形成され、この小径ねじ孔部１４１Ｂがねじ孔１４１の底部から当接面４１Ａ側に貫通している。小径ねじ孔部１４１Ｂのねじ径及びそのねじ山のピッチは、ねじ１４３を螺合させることができるものとなっている。
【００２９】
これにより、図１０（ａ）に示すように、接続部材４１のネジ孔１４１内にねじ１４３を挿入すると、ねじ１４１は、ねじ孔１４３に螺合されることなく、ねじ孔１４１内に遊嵌され、ねじ孔１４１の奥に形成された小径ねじ孔部１４１Ｂに対して螺合されることになる。さらに、接続部材４１の当接面４１Ａに当接された、支持部５１の支持面１５３には、小径ねじ孔部１４１Ｂに連通してねじ孔１５１が形成されているため、小径ねじ孔部１４１Ｂに螺合されたねじ１４３は、さらにねじ孔１５１に螺合される。かくして、ねじ１４３を小径ねじ孔部１４１Ｂ及びねじ孔１５１に対して螺合することにより、接続部材４１と支持部５１とが、当接面４１Ａと支持面１５３とを接触させた状態で互いに締結される。
【００３０】
ここで、支持部材２４（支持部５１）に手摺棒１１を固定する作業工程において、一旦支持部５１に手摺棒１１の接続部材４１を仮保持させることにより、手摺棒１１が支持部材２４（支持部５１）を支点として回動可能とすることができる。具体的には、ねじ１４３を小径ねじ孔部１４１Ｂ及びねじ孔１５１に螺合させる際に、完全に締め付けることなく、支持部５１の支持面１５３と接続部材４１の当接面４１Ａとの間に僅かな遊びを持たせた状態とする。この仮保持状態においては、接続部材４１と支持部５１とが完全に離間することなく、互いの当接面（支持面１５３、当接面４１Ａ）上でねじ１４３及びねじ孔１５１の螺合部分を軸として回動することにより、接続部材４１（手摺棒１１）の長手方向を、図８において矢印ｒ２で示す方向又はこれとは逆方向に任意に変化させることが可能となる。これにより、作業者は、手摺棒１１を持ってその方向を微調整することが可能となる。
【００３１】
すなわち、作業者は、手摺棒１１を持ってその支持方向（支持面１５３の面に沿う方向）を矢印ｒ２（図８）で示す方向又はこれとは逆方向に任意に調整することができる。支持面１５３は、支持部材２４が固定される壁面１Ａ（図１、図２）に対して平行になるように構成されており、また、接続部材４１の当接面４１Ａは、手摺棒１１の長手方向と平行になるように構成されていることにより、手摺棒１１の支持方向の調整は、手摺棒１１が支持される壁面１Ａに沿った面内で調整可能となる。
【００３２】
また、支持部５１の支持面１５３には所定の凹部１５３Ａが形成され、接続部材４１の当接面４１Ａには、凹部１５３Ａに挿入される凸部４１Ｂ（図７、図８）が形成されており、凸部４１Ｂが凹部１５３Ａ内を移動し得る範囲で手摺棒１１の方向を調整することができる。
【００３３】
具体的には、図８に示すように、支持部５１の支持面１５３に設けられた凹部１５３Ａに対して、接続部材４１の当接面４１Ａに設けられた凸部４１Ｂが挿入された状態において、凹部１５３Ａの一方の端部１５３Ｂの壁面と他方の端部１５３Ｃの壁面とによって規制される範囲内（図７において矢印ｒ１で示す範囲内）を凸部４１Ｂが移動し得るようになっている。従って、ねじ１４３の仮締めにおいて、凸部４１Ｂが凹部１５３Ａから抜け出ない程度までねじ１４３をねじ孔１５１に螺合させることにより、手摺棒１１の調整範囲を制限しつつ当該手摺棒１１の方向を調整することができる。このように、手摺棒１１の調整範囲を制限することにより、例えば、作業者が作業中に誤って手摺棒１１を手放してしまった場合であっても、手摺棒１１の回動範囲が矢印ｒ１の範囲に制限されていることにより、当該手摺棒１１の先端部（支持部材２１が取付けられている側の端部）が床面に落下して床面を傷つけてしまうことを防止することができる。
【００３４】
また、凸部４１Ｂが凹部１５３Ａ内を移動する構成としたことにより、支持面１５３と当接面４１Ａとがねじ１４３を軸として互いに当接面上で回動する場合のガイド機能を有することになる。
【００３５】
そして、手摺棒１１を所定の方向に位置決めすると、作業者はこの状態で手摺棒１１に予め固定されている支持部材２１〜２３を壁面に固定することにより、手摺棒１１を目的とする位置（方向）に固定することができる。最後にねじ１４３を接続部材４１の小径ねじ孔部１４１Ｂ及び支持部５１のねじ孔１５１に対して、完全に締め付けることにより螺着させ、これにより接続部材４１を支持部５１に対して締結し、本固定が完了する。
【００３６】
このように、支持部５１に対して接続部材４１を本固定した状態においては、図１０に示すように、接続部材４１のねじ孔１４１内に挿入されたねじ１４３のねじ頭と接続部材４１の外装面４１Ｃとの間には所定深さの空間が形成される。この空間に対して、金属製のねじ式キャップ６１を螺合させることにより、ねじ孔１４１を閉塞させるようになっている。具体的には、ねじ式キャップ６１は、円柱形状をなしておりその周側面にはねじ孔１４１に螺合可能なねじ山が形成されている。図１０（ａ）に示すように、ねじ孔１４１の内部の小径ねじ孔部１４１Ｂにねじ１４３が螺着されている状態において、ねじ孔１４１に対してねじ式キャップ６１を螺着させることにより、図１０（ｂ）に示すように、ねじ孔１４１内のねじ１４３の頭部を抑える状態で、ねじ式キャップ６１がねじ孔１４１に締め付けられる。このように、ねじ１４３の頭部をねじ式キャップ６１によって抑えた状態においては、ねじ式キャップ６１によってねじ１４３が緩むことを防止することができる。すなわち、手摺装置の設置後の使用状態において、利用者が手摺棒１１を持つ度に、手摺棒１１は僅かに撓るため、支持部５１と接続部材４１との間には、手摺棒１１がねじ１４３を中心として回動させる方向に力が加わる。この場合、仮に、ねじ式キャップ６１の代わりに、周側面にねじ山が形成されていないキャップ２４０を、ねじ山が形成されていない孔部２４１に嵌合させる構成とすると、図１１（ａ）乃至（ｃ）に示すように、少しずつねじ１４３が緩んで、支持部５１と接続部材４１との間に隙間が形成され、最終的には支持部５１や接続部材４１が破損するというおそれがある。これに対して、本実施形態の場合、ねじ式キャップ６１をねじ孔１４１に螺合させる構成としたことにより、使用状態により手摺棒１１に繰り返し力が加わっても、ねじ１４３が緩むことを防止することができる。なお、ねじ式キャップ６１に形成されたねじ山６１Ａは、ねじ１４３のねじ山１４３Ａとは逆向きに形成されている。具体的には、ねじ１４３のねじ山１４３Ａがいわゆる右ねじ（右方向に回転させることでねじ孔にねじ込むことができる）である場合には、ねじ式キャップ６１に形成されるねじ山６１Ａはいわゆる左ねじ（左方向に回転させることでねじ孔にねじ込むことができる）としている。これにより、ねじ１４３が緩む回転方向と、ねじ式キャップ１６１が緩む回転方向とが逆方向となることにより、ねじ１４３が緩もうとすると、当該ねじ１４３の頭部を抑えているねじ式キャップ１６１には逆に締まる方向に回転しようとする力が加わることになり、これによっても、ねじ１４３が緩むことを一段と有効に防止することができる。
【００３７】
なお、図１２に示すように、ねじ１４３のねじ山の方向と、ねじ式キャップ６１のねじ山の方向とを同じ方向（例えば、ねじ１４３及びねじ式キャップ６１がいずれもいわゆる右ねじ（又はいずれも左ねじ））である場合においても、ねじ式キャップ６１が設けられている分、ねじ１４３が緩むことを実用上十分に抑制することができる。
【００３８】
支持部材２４の支持部５１には、手摺棒１１の接続部材４１を支持する支持面１５３と共に、手摺棒１２の接続部材４２を支持する支持面１５４が設けられている。支持面１５４の構成は、支持面１５３の構成と同様構成となっており、接続部材４１と同様構成である手摺棒１２の接続部材４２の当接面４２Ａ（図６、図７）を支持するようになっている。
【００３９】
すなわち、手摺棒１２の端部に設けられている接続部材４２には、ねじ孔１４２が形成されており、当該ねじ孔１４２の底部には、小径ねじ孔部が設けられている。ねじ１４４は、小径ねじ孔部及び支持面１５４のねじ孔１５２に螺合されることで、接続部材４２（手摺棒１２の端部）を支持部５１に締結することができる。この取付け作業において、ねじ１４４を仮締めした状態で手摺棒１２の方向を矢印ｒ４（図８）で示す方向又はこれとは逆方向に調整することができる。接続部材４２の当接面４２Ａには、接続部材４１の当接面４１に設けられている凸部４１Ｂ（図８）と同様構成の凸部（図示せず）が設けられており、支持部５１の支持面１５４に形成された凹部１５４Ａ内を移動することができる。凹部１５４Ａにおける凸部の移動範囲は、矢印ｒ３で示す範囲に制限されており、この範囲内で接続部材４２を回動調整することができる。これにより、仮締め状態において、手摺棒１２を矢印ｒ４で示す方向又はこれとは逆方向に回動調整することができる。
【００４０】
かくして、手摺棒１２においても、手摺棒１１と同様に、ねじ１４４の仮締め状態において支持方向の調整を行って、他方の端部に設けられた接続部材４３を支持部材の支持部５２に位置合わせした状態で本固定を行うことにより、容易に手摺棒１２を所定位置で固定することができる。
【００４１】
なお、支持部５１の支持面１５３及び１５４の間には、隔壁部１５５が設けられている。隔壁部１５５は、支持面１５３側の壁面１５６と、支持面１５４側の壁面１５７とを有している。壁面１５６は、支持面１５３の形状（円形）の円弧に沿う曲面形状を有しており、また、壁面１５７は、支持面１５４の形状（円形）の円弧に沿う曲面形状を有している。これにより、手摺棒１１の接続部材４１を支持部５１（支持面１５３）に取付ける作業において、接続部材４１を壁面１５６に沿って支持面１５３上に導くように位置合わせすることができ、また、手摺棒１２の接続部材４２を支持部５１（支持面１５４）に取付ける作業において、接続部材４２を壁面１５７に沿って支持面１５４上に導くように位置合わせすることができる。これにより、支持部５１への接続部材４１、４２の取付け作業を容易に行うことが可能となっている。
【００４２】
なお、上述の実施形態においては、支持部材２４の先端部に支持部５１を一体に形成する場合について述べたが、これに限られるものではなく、別体構成としてもよい。すなわち、図３〜図１０と同一部分に同一符号を付して示す図１３〜図１６は、支持部材２４の先端部に支持部５１と同様構成の支持部３５１を別体に設けた構成を示す図である。
【００４３】
この構成おいては、支持部材２４のフック２４Ａを支持部３５１のフック受け３５１Ａで受ける構成となっている。フック受け３５１Ａは、支持部３５１の前面から背面に向かって形成された孔部３５１Ｂの背面側に設けられており、この孔部３５１Ｂにフック２４Ａを差し込みながら、支持部３５１を支持部材２４に固定する。この構成では、隔壁部１５５（図６）が設けられていないことにより、化粧部材３０１を支持部３５１の正面側から孔部３５１Ｂに差し込むことにより（図１５（ａ））、フック２４Ａや孔部３５１Ｂを化粧部材３０１によって覆い、外観上の煩雑な印象となることを回避することができる。
【００４４】
図１５（ｂ）、（ｃ）に示すように、化粧部材３０１は、支持部３５１に固定される接続部材４１、４２の形状に合わせた曲面形状を有する正面板３０５と、当該化粧部材３０１を支持部３５１の孔部３５１Ｂに固定するためのフック３０２Ａ、３０３Ａを有する固定板３０２、３０３を有している。固定板３０２、３０３を支持部３５１の孔部３５１Ｂに挿入し、当該孔部３５１Ｂに形成されたフック受けにフック３０２Ａ、３０３Ａを係合させることにより、化粧部材３０１を支持部３５１に固定することができる。
【００４５】
次に、手摺棒１２及び１３を支持する支持部材２５について説明する。図１７〜図２０は、支持部材２５を示す斜視図である。支持部材２５は、曲がり角や階段の途中に設置されるいわゆる入隅用として用いられるものである。
【００４６】
支持部材２５は、支持部材２４に対応するものであり、支持部材２５の先端部に設けられた支持部５２は、支持部５１に対応するものである。支持部５２には、手摺棒１２の端部に設けられた接続部材４３の当接面４３Ａを支持する支持面３５３と、手摺棒１３の端部に設けられた接続部材４４の当接面４４Ａを支持する支持面３５４とを有する。
【００４７】
支持部５２の支持面３５３は、手摺棒１２が設けられる壁面１Ａ（図１、図２）に対して平行になるように構成されている。また、接続部材４３の当接面４３Ａは、手摺棒１２の長手方向と平行になるように構成されていることにより、手摺棒１２の支持方向の調整は、手摺棒１２が支持される壁面１Ａに沿った面内で調整可能となる。
【００４８】
一方、支持部５２の支持面３５４は、手摺棒１３が設けられる壁面１Ｂ（図１、図２）に対して平行になるように構成されている。また、接続部材４４の当接面４４Ａは、手摺棒１３の長手方向と平行になるように構成されていることにより、支持部材２５によって支持される手摺棒１３の長手方向の調整は、手摺棒１３が支持される壁面１Ｂに沿った面内で調整可能となる。
【００４９】
この支持部５２においても、支持部５１と同様にして、支持面３５３、５５４にそれぞれねじ孔（図示せず）が形成されており、一方、接続部材４３、４４には、接続部材４１、４２と同様にして、小径ねじ孔部を底部に有するねじ孔４４３、４４４が形成されている。この小径ねじ孔部と支持面３５３、３５４のねじ孔にそれぞれねじが螺着されることで、接続部材４３、４４が支持面３５３、３５４に締結される。また、ねじ孔４４３、４４４には、ねじ式キャップ６１、７１が螺着されることにより、内部の小径ねじ孔部に螺着されたねじのねじ頭を抑えるようになっている。これにより、接続部材４１、４２と同様にして、内部のねじが緩むことを防止している。
【００５０】
この支持部５２においても、支持部５１と同様にして、支持面３５３、５５４にそれぞれ凹部（図示せず）が形成されており、一方、接続部材４３、４４には、接続部材４１、４２と同様にして、凸部（図示せず）が設けられている。これにより、ねじ孔４４３、４４４の底部の小径ねじ孔部及び支持面３５３、３５４に形成されたねじ孔を介して螺合されたねじを仮締めした状態で、手摺棒１２、１３の長手方向を、壁面１Ａ、１Ｂに沿って調整することができる。この場合、支持部５２には支持部５１と同様にして、凹部が形成されており、接続部材４３、４４に設けられた凸部を係合することで、当接面上で接続部材４３、４４を回動させることができ、凹部が形成された範囲内で手摺棒１２、１３の長手方向を調整することができる。
【００５１】
また、支持部５２の支持面３５３、３５４の間には隔壁部４５５が設けられており、当該隔壁部４５５の支持面３５３側の壁面４５６は、支持面３５３の形状（円形）の円弧に沿う曲面形状を有しており、また、壁面４５７は、支持面３５４の形状（円形）の円弧に沿う曲面形状を有している。これにより、手摺棒１２の接続部材４３を支持部５２（支持面３５３）に取付ける作業において、接続部材４３を壁面４５６に沿って支持面３５３上に導くように位置合わせすることができ、また、手摺棒１３の接続部材４４を支持部５２（支持面３５４）に取付ける作業において、接続部材４４を壁面４５７に沿って支持面３５４上に導くように位置合わせすることができる。これにより、支持部５２への接続部材４３、４４の取付け作業を容易に行うことが可能となっている。
【００５２】
なお、上述の実施形態においては、支持部材２５の先端部に支持部５２を一体に形成する場合について述べたが、これに限られるものではなく、別体構成としてもよい。すなわち、図７〜図２０と同一部分に同一符号を付して示す図２１、図２２は、支持部材２５の先端部に支持部５２と同様構成の支持部３５２を別体に設けた構成を示す平面図及びその断面図である。
【００５３】
この構成においては、支持部材２５のフック２５Ａを支持部３５２のフック受け３５２Ａで受ける構成となっている。フック受け３５２Ａは、支持部３５２の前面から背面に向かって形成された孔部３５２Ｂの背面側に設けられており、この孔部３５２Ｂにフック２５Ａを差し込みながら、支持部３５２を支持部材２５に固定する。この構成では、隔壁部４５５（図１７）が設けられていないことにより、化粧部材４０１を支持部３５２の正面側から孔部３５２Ｂに差し込むことにより（図２２）、フック２５Ａや孔部３５２Ａを化粧部材４０１によって覆い、外観上の煩雑な印象となることを回避することができる。
【００５４】
図２３（ａ）、（ｂ）に示すように、化粧部材４０１は、支持部３５２に固定される接続部材４３、４４の形状に合わせた曲面形状を有する正面板４０５と、当該化粧部材４０１を支持部３５２の孔部３５２Ｂに固定するためのフック４０２Ａ、４０３Ａを有する固定板４０２、４０３を有している。固定板４０２、４０３を支持部３５２の孔部３５２Ｂに挿入し、当該孔部３５２Ｂに形成されたフック受けにフック４０２Ａ、４０３Ａを係合させることにより、化粧部材４０１を支持部３５２に固定することができる。
【００５５】
なお、上述の実施形態においては、壁面に支持部材２１〜２７を固定する場合について述べたが、これに限られるものではなく、床面から起立した支持部材に手摺棒１１〜１３を固定するようにしてもよい。
【００５６】
また、上述の実施形態においては、ねじ１４３のねじ頭とねじ式キャップ６１との間が密着するように取付けられる場合について述べたが、これに限られず、ねじ頭とねじ式キャップ６１との間に間隙が生じるようにしてもよい。このようにした場合、ねじ１４３が緩んでも、ねじ頭とねじ式キャップ６１との間隙以上に緩むことが防止されることにより、支持部５１及び接続部材４１の破損の発生を実用上十分に抑制することができる。
【符号の説明】
【００５７】
１Ａ、１Ｂ  壁面
１０  手摺装置
１１、１２、１３  手摺棒
２１、２２、２３、２４、２５、２６、２７  支持部材
４１、４２、４３、４４  接続部材
５１、５２  支持部
１５３、１５４、３５３、３５４  支持面
４１Ａ、４２Ａ、４３Ａ、４４Ａ  当接面
６１、７１  ねじ式キャップ（螺着手段）
１４１ねじ孔
１４３、１４４  ねじ
１４３Ｂ  小径ねじ孔部
３０１、４０１  化粧部材
【図１】
2020148058.tif 000003
【図２】
2020148058.tif 000004
【図３】
2020148058.tif 000005
【図４】
2020148058.tif 000006
【図５】
2020148058.tif 000007
【図６】
2020148058.tif 000008
【図７】
2020148058.tif 000009
【図８】
2020148058.tif 000010
【図９】
2020148058.tif 000011
【図１０】
2020148058.tif 000012
【図１１】
2020148058.tif 000013
【図１２】
2020148058.tif 000014
【図１３】
2020148058.tif 000015
【図１４】
2020148058.tif 000016
【図１５】
2020148058.tif 000017
【図１６】
2020148058.tif 000018
【図１７】
2020148058.tif 000019
【図１８】
2020148058.tif 000020
【図１９】
2020148058.tif 000021
【図２０】
2020148058.tif 000022
【図２１】
2020148058.tif 000023
【図２２】
2020148058.tif 000024
【図２３】
2020148058.tif 000025